(57)【要約】    【課題】複数の子機のカメラにて撮像される映像信号の垂直同期をそれぞれ一致させることにより、複数の映像信号について同じタイミングで親機のモニタに出画する際に視認性の高い良好な画質表示を行う。    【解決手段】親機２の信号処理部２０３にて生成される基準同期信号により、複数の子機１ａ、１ｂ、・・・１ｎのカメラ１０１にて撮像される映像信号の垂直同期をそれぞれ一致させる。また、外部信号源３ａ、３ｂ、・・・３ｎにて生成される外部同期制御信号、または親機の信号処理部にて生成される基準同期信号により、同期結合機能１０４を有する複数の子機のカメラにて撮像される映像信号の垂直同期をそれぞれ一致させる。  【選択図】図１
2007228410.tif 000002
【特許請求の範囲】
【請求項１】
複数の子機（１ａ、１ｂ、・・・１ｎ）のカメラ（１０１）にて撮像された映像信号を親機（２）のモニタ（２０４）に出画するテレビインターホン装置であって、
前記親機は、前記各子機のカメラにて撮像される映像信号の垂直同期をそれぞれ一致させる基準同期信号を生成するための信号発生部（２０３）を備えたことを特徴とするテレビインターホン装置。
【請求項２】
複数の子機（１ａ、１ｂ、・・・１ｎ）のカメラ（１０１）にて撮像された映像信号を親機（２）のモニタ（２０４）に出画するテレビインターホン装置であって、
前記各子機は、外部信号源（３ａ、３ｂ、・・・３ｎ）からの外部同期制御信号により前記各子機のカメラにて撮像される映像信号の垂直同期をそれぞれ一致させる同期結合機能（１０４）を有することを特徴とするテレビインターホン装置。
【請求項３】
複数の子機（１ａ、１ｂ、・・・１ｎ）のカメラ（１０１）にて撮像された映像信号を親機（２）のモニタ（２０４）に出画するテレビインターホン装置であって、
前記各子機は、前記カメラにて撮像される映像信号の垂直同期をそれぞれ一致させる同期結合機能（１０４）を有し、
前記親機は、前記同期結合機能を有する前記各子機のカメラにて撮像される映像信号の垂直同期をそれぞれ一致させる基準同期信号を生成するための信号発生部（２０３）を備えたことを特徴とするテレビインターホン装置。
【発明の詳細な説明】
【技術分野】
【０００１】
本発明はテレビインターホン装置に係り、特に、複数の子機のカメラにて撮像される映像信号の垂直同期処理機能を備えたテレビインターホン装置に関する。
【背景技術】
【０００２】
従来から、複数台のカメラ付玄関子機毎の接続検出回路を不要として、コスト面でも有利なテレビドアホン装置が開示されている（例えば、特許文献１を参照。）。
【０００３】
このテレビドアホン装置によれば、信号処理回路からの検出信号によって、複数台のカメラ付玄関子機の接続の有無を確認することができる。したがって、テレビドアホン親機にカメラ付玄関子機毎の接続検出回路を別個に設けなくとも、カメラ付玄関子機の接続の有無を自動的に確認することができ、ひいては、コスト面でも有利となる。
【０００４】
【特許文献１】特開２００２−２６２２７９号公報（段落番号「００１８」乃至「００３１」、第１図）
【発明の開示】
【発明が解決しようとする課題】
【０００５】
背景技術に記載した特許文献１のテレビドアホン装置によれば、複数台のカメラ付玄関子機のカメラにて撮像される映像信号の垂直同期がそれぞれ一致していないため、複数の映像信号をテレビドアホン親機のモニタに同じタイミングで出画、例えば、ピクチャインピクチャ表示、多分割表示等を行う場合、それぞれの映像信号についてフレーム同期をとった後、フレームメモリ等の記憶媒体に記憶する必要があった。また、フレームメモリ等の記憶媒体に複数の映像信号を記憶（書き込み）させる場合、記憶するタイミングが非同期であるため、記憶（書き込み）の様子を監視しながら読み出しを実行する必要があり煩雑さを有していた。
【０００６】
本発明は、この難点を解消するためになされたもので、複数の子機のカメラにて撮像される映像信号の垂直同期をそれぞれ一致させることにより、複数の映像信号について同じタイミングで親機のモニタに出画する際に視認性の高い良好な画質表示を行うことができるテレビインターホン装置を提供することを目的としている。
【課題を解決するための手段】
【０００７】
前述の目的を達成するため、本発明の第１の態様であるテレビインターホン装置は、複数の子機のカメラにて撮像された映像信号を親機のモニタに出画するものである。親機は、各子機のカメラにて撮像される映像信号の垂直同期をそれぞれ一致させる基準同期信号を生成するための信号発生部を備えたものである。
【０００８】
また、本発明の第２の態様であるテレビインターホン装置は、複数の子機のカメラにて撮像された映像信号を親機のモニタに出画するものである。各子機は、外部信号源からの外部同期制御信号により各子機のカメラにて撮像される映像信号の垂直同期をそれぞれ一致させる同期結合機能を有するものである。
【０００９】
また、本発明の第３の態様であるテレビインターホン装置は、複数の子機のカメラにて撮像された映像信号を親機のモニタに出画するものである。各子機は、カメラにて撮像される映像信号の垂直同期をそれぞれ一致させる同期結合機能を有したものである。親機は、同期結合機能を有する各子機のカメラにて撮像される映像信号の垂直同期をそれぞれ一致させる基準同期信号を生成するための信号発生部を備えたものである。
【発明の効果】
【００１０】
本発明のテレビインターホン装置によれば、親機の信号処理部にて生成される基準同期信号により、複数の子機のカメラにて撮像される映像信号の垂直同期をそれぞれ一致させることができる。また、外部信号源にて生成される外部同期制御信号、または親機の信号処理部にて生成される基準同期信号により、同期結合機能を有する複数の子機のカメラにて撮像される映像信号の垂直同期をそれぞれ一致させることができる。これにより、複数の映像信号について同じタイミングで親機のモニタに出画する際、例えば、ピクチャインピクチャ表示、多分割表示する際に視認性の高い良好な画質表示を行うことができる。
【発明を実施するための最良の形態】
【００１１】
以下、本発明のテレビインターホン装置を適用した最良の実施の形態例について、図面を参照して説明する。
【００１２】
図１は、本発明の実施例によるテレビインターホン装置の具体的な構成を示すブロックである。
【００１３】
図１に示すテレビインターホン装置は、例えば、同一の住戸における複数の玄関（以下、住戸玄関という。）にそれぞれ設置された（複数の）子機１ａ、１ｂ、・・・１ｎと、個別の伝送線路Ｌ1a、Ｌ1b、・・・Ｌ1nを経由して複数の子機１ａ、１ｂ、・・・１ｎにそれぞれ接続される住戸内に設置された親機２と、複数の子機１ａ、１ｂ、・・・１ｎにそれぞれ接続される例えば、ＣＣＴＶ（Closed Circuit Television）、コンピュータ等の外部信号源３ａ、３ｂ、・・・３ｎとが設けられている。
【００１４】
なお、親機２および外部信号源３ａ、３ｂ、・・・３ｎには、通常、商用電源（ＡＣ１００Ｖ）がそれぞれ接続されている。また、当該外部信号源は、複数の子機１ａ、１ｂ、・・・１ｎ毎にそれぞれ割り当てられた外部信号源３ａ、３ｂ、・・・３ｎの態様に限定されるものではない。例えば、複数の子機１ａ、１ｂ、・・・１ｎに単一の外部信号源を接続する態様であってもよい。
【００１５】
また、複数の子機１ａ、１ｂ、・・・１ｎはそれぞれ同様な構成であり、呼出部１００、カメラ１０１、映像変調部１０２、同期信号検出部１０３、同期結合制御部１０４、マイク（以下、子機マイクという。）１０５、スピーカ（以下、子機スピーカという。）１０６、通話部（以下、子機通話部という。）１０７、電源部（以下、子機電源部という。）１０８、２つのインターフェース部（以下、それぞれ親機側子機Ｉ／Ｆ、外部側子機Ｉ／Ｆという。）１０９、１１０を有している。
【００１６】
この各子機１ａ、１ｂ、・・・１ｎにおいて、呼出部１００は、住戸玄関に居る人物、例えば、来訪者が住戸内に在室中の居住者を呼び出すために操作し、この呼出操作を検出して呼出信号を生成するためのものである。また、呼出部１００としては、例えば、呼出ボタン、呼出検出回路等が好適とされる。
【００１７】
カメラ１０１は、来訪者の映像や住戸玄関（自住戸玄関）先の周囲近傍の映像（監視映像を含む。）を撮像するためのものである。このカメラ１０１としては、例えば、ＣＣＤ（Charge Coupled Devices）、ＣＭＯＳ（Complementary Metal Oxide Semiconductor）等の各種の撮像素子が好適とされる。
【００１８】
映像変調部１０２は、カメラ１０１にて撮像された映像であり電気信号に信号処理された映像信号を変調、例えば、ＦＭ（Frequency Modulation）変調するためのものである。
【００１９】
同期信号検出部１０３は、親機２の後述する信号発生部２０３から送信されてくる基準同期信号を受信／検出するためのものである。
【００２０】
同期結合制御部１０４は、同期信号検出部１０３を経由して受信／検出された親機２の信号発生部２０３から送信されてくる基準同期信号、または外部信号源３ａ、３ｂ、・・・３ｎから送信されてくる外部同期制御信号をもとに、各子機１ａ、１ｂ、・・・１ｎのカメラ１０１にて撮像された映像信号の垂直同期をそれぞれ一致させ、その垂直同期を固定するためのものである。なお、同期結合とは、ＧＥＮ−ＬＯＣＫ機能と同意である。
【００２１】
子機マイク１０５および子機スピーカ１０６は、来訪者が居住者との間で通話を成立させるにあたり、通話音声（送話音声、受話音声）を入出力するためのものである。
【００２２】
子機通話部１０７は、子機マイク１０５に入力された通話音声（送話音声）であり電気信号に信号処理された音声信号を４線／２線変換や増幅等するとともに、子機スピーカ１０６から出力させる通話音声（受話音声）である親機２から送信されてくる音声信号を２線／４線変換や増幅等するためのものである。
【００２３】
子機電源部１０８は、親機２の後述する子機用電源供給部２０１から供給されてくる直流電源を受電し、受電された直流電源を待受用または動作用の電源として、当該子機の構成各部にそれぞれ供給するためのものである。
【００２４】
親機側子機Ｉ／Ｆ１０９は、呼出部１００から各伝送線路Ｌ1a、Ｌ1b、・・・Ｌ1nへの呼出信号の信号伝送ライン、映像変調部１０２から各伝送線路Ｌ1a、Ｌ1b、・・・Ｌ1nへの映像変調信号の信号伝送ライン、各伝送線路Ｌ1a、Ｌ1b、・・・Ｌ1nから同期信号検出部１０３への基準同期信号の信号伝送ライン、子機通話部１０７および各伝送線路Ｌ1a、Ｌ1b、・・・Ｌ1nの間の音声信号の信号送受信ライン（通話ライン）、各伝送線路Ｌ1a、Ｌ1b、・・・Ｌ1nから子機電源部１０８への直流電源の電源供給ラインをそれぞれ形成するためのものである。
【００２５】
外部側子機Ｉ／Ｆ１１０は、外部信号源３ａ、３ｂ、・・・３ｎから同期結合制御部１０４への外部同期制御信号の信号伝送ラインを形成するためのものである。
【００２６】
さらに、親機２には、電源部（以下、親機電源部という。）２００、子機用電源供給部２０１、呼出検出部２０２、信号発生部２０３、モニタ２０４、映像復調部２０５、映像ライン切替部２０６、映像出画制御部２０７、マイク（以下、親機マイクという。）２０８、スピーカ（以下、親機スピーカという。）２０９、通話部（以下、親機通話部という。）２１０、通話ライン切替部２１１、操作部２１２、制御部２１３、インターフェース部（以下、親機Ｉ／Ｆいう。）２１４が備えられている。
【００２７】
この親機２において、親機電源部２００は、商用電源（ＡＣ１００Ｖ）について整流・平滑させた直流電源を生成し、生成された直流電源を待受用または動作用の電源として、当該親機の構成各部にそれぞれ供給するためのものである。
【００２８】
子機用電源供給部２０１は、親機電源部２００にて生成された直流電源を、複数の子機１ａ、１ｂ、・・・１ｎのうち少なくとも何れか１の当該子機、または複数の子機１ａ、１ｂ、・・・１ｎに、待受用または動作用の電源としてそれぞれ供給するためのものである。
【００２９】
親機呼出検出部２０２は、複数の子機１ａ、１ｂ、・・・１ｎ毎にそれぞれ割り当てられた呼出検出回路２０２ａ、２０２ｂ、・・・２０２ｎにて構成されている。また、各呼出検出回路２０２ａ、２０２ｂ、・・・２０２ｎは、来訪者により呼出部１００にて呼出操作が行われた各子機１ａ、１ｂ、・・・１ｎから送信されてくる呼出信号を受信して呼出検出信号をそれぞれ生成するためのものである。
【００３０】
信号発生部２０３は、複数の子機１ａ、１ｂ、・・・１ｎのカメラ１０１にて撮像される映像信号の垂直同期をそれぞれ一致させる基準同期信号を生成するためのものである。  モニタ２０４は、複数の子機１ａ、１ｂ、・・・１ｎのうち何れか１の当該子機からの呼び出しがある旨の文字メッセージや絵データ等、同じタイミング時における複数の子機１ａ、１ｂ、・・・１ｎからの呼び出しがある旨の文字メッセージや絵データ等をそれぞれ表示するとともに、複数の子機１ａ、１ｂ、・・・１ｎのうち何れか１の当該子機のカメラ１０１にて撮像された映像を出画、例えば、全画面表示し、さらには同じタイミング時における複数の子機１ａ、１ｂ、・・・１ｎのカメラ１０１にて撮像された映像を出画、例えば、ピクチャインピクチャ表示、多分割表示等するためのものである。また、モニタ２０４としては、例えば、ＬＣＤ（Liquid Crystal Display）、有機ＥＬ（Electro Luminescence）ディスプレイ等の各種のディスプレイが好適とされる。
【００３１】
映像復調部２０５は、複数の子機１ａ、１ｂ、・・・１ｎのうち何れか１の当該子機のカメラ１０１にて撮像された映像であるＦＭ変調された映像変調信号、同じタイミング時における複数の子機１ａ、１ｂ、・・・１ｎのカメラ１０１にて撮像された映像であるＦＭ変調された映像変調信号をそれぞれ復調、例えば、ＦＭ復調するためのものである。
【００３２】
映像ライン切替部２０６は、映像復調部２０５から映像出画制御部２０７への映像信号の信号伝送ラインとして、単一の映像ラインや複数の映像ラインのように切り替えて形成するためのものである。
【００３３】
映像出画制御部２０７は、モニタ２０４に例えば、全画面表示、ピクチャインピクチャ表示、多分割表示等するにあたり必要な画面様式の映像を生成するためのものである。
【００３４】
親機マイク２０８および親機スピーカ２０９は、居住者が来訪者との間で通話を成立させるにあたり、通話音声（送話音声、受話音声）を入出力するためのものである。また、親機スピーカ２０９は、複数の子機１ａ、１ｂ、・・・１ｎのうち何れか１の当該子機からの呼び出しがある旨の呼出音や音声メッセージ等、同じタイミング時における複数の子機１ａ、１ｂ、・・・１ｎからの呼び出しがある旨の呼出音や音声メッセージ等をそれぞれ放音することができる。
【００３５】
親機通話部２１０は、親機マイク２０８に入力された通話音声（送話音声）であり電気信号に信号処理された音声信号を４線／２線変換や増幅等するとともに、親機スピーカ２０９から出力させる通話音声（受話音声）である複数の子機１ａ、１ｂ、・・・１ｎのうち特定の当該子機から伝送されてきた音声信号を２線／４線変換や増幅等するためのものである。
【００３６】
通話ライン切替部２１１は、親機通話部２１０および親機Ｉ／Ｆ２１４を構成する複数の子機１ａ、１ｂ、・・・１ｎ毎にそれぞれ割り当てられた後述する子機接続用Ｉ／Ｆ２１４ａ、２１４ｂ、・・・２１４ｎの間の通話ライン（信号送受信ライン）を切り替えて形成するためのものである。
【００３７】
操作部２１２は、居住者による信号発生部２０３からの基準同期信号の出力操作、モニタ２０４に出画させる映像の選択／切替操作、親機マイク２０８および親機スピーカ２０９を使用して通話を成立させるに必要な応答操作等が行われるものである。この操作部２１０としては、例えば、通話（応答）ボタン、カメラ選択ボタン等の独立した複数の操作ボタンや、モニタ２０４の前面に設けられるタッチパネル等が好適とされる。
【００３８】
制御部２１３は、当該親機の構成各部をそれぞれ制御するためのものである。例えば、親機電源部２００および子機用電源供給部２０１への出力電圧制御、信号発生部２０３への駆動制御、モニタ２０４および親機スピーカ２０９への呼出報知制御、映像ライン切替部２０６および通話ライン切替部２１１へのライン切替制御、映像出画制御部２０７への駆動制御、操作部２１２の操作検出等を行うものである。
【００３９】
親機Ｉ／Ｆ２１４は、複数の子機１ａ、１ｂ、・・・１ｎ毎にそれぞれ割り当てられた子機接続用Ｉ／Ｆ２１４ａ、２１４ｂ、・・・２１４ｎにて構成されている。また、各子機接続用Ｉ／Ｆ２１４ａ、２１４ｂ、・・・２１４ｎは、子機用電源供給部２０１から各伝送線路Ｌ1a、Ｌ1b、・・・Ｌ1nへの直流電源の電源供給ライン、各伝送線路Ｌ1a、Ｌ1b、・・・Ｌ1nから親機呼出検出部２０２の各呼出検出回路２０２ａ、２０２ｂ、・・・２０２ｎへの呼出信号の信号伝送ライン、信号発生部２０３から各伝送線路Ｌ1a、Ｌ1b、・・・Ｌ1nへの基準同期信号の信号伝送ライン、各伝送線路Ｌ1a、Ｌ1b、・・・Ｌ1nから映像復調部２０５への映像変調信号の信号伝送ライン、各伝送線路Ｌ1a、Ｌ1b、・・・Ｌ1nおよび通話ライン切替部２１１の間の音声信号の信号送受信ライン（通話ライン）をそれぞれ形成するためのものである。
【００４０】
このように構成された本発明の実施例によるテレビインターホン装置において、以下、具体的な動作について説明する。
【００４１】
図１に示す複数の子機１ａ、１ｂ、・・・１ｎおよび親機２がそれぞれ待受状態、例えば、呼び出しも通話も成立されていない場合において、親機２の親機電源部２００は、商用電源（ＡＣ１００Ｖ）について整流／平滑させた待受レベルの直流電源を生成している。この直流電源は、待受電源として当該親機の構成各部にそれぞれ供給されるとともに、子機用電源供給部２０１から親機Ｉ／Ｆ２１４を構成する各子機接続用Ｉ／Ｆ２１４ａ、２１４ｂ、・・・２１４ｎ、各伝送線路Ｌ1a、Ｌ1b、・・・Ｌ1n、各子機１ａ、１ｂ、・・・１ｎの親機側子機Ｉ／Ｆ１０９を経由して子機電源部１０８にそれぞれ供給される。
【００４２】
各子機１ａ、１ｂ、・・・１ｎの子機電源部１０８は、親機２の子機用電源供給部２０１から供給されてきた待受レベルの直流電源を受電し、待受電源として当該子機の構成各部にそれぞれ供給することができる。
【００４３】
前述のような待受時（待受状態時）において、複数の子機１ａ、１ｂ、・・・１ｎのうち、ここでは、子機１ａが設置された住戸玄関に居る来訪者が、住戸内に在室中の居住者を呼び出すために呼出部１００にて所定の呼出操作を行うと、呼出信号（以下、第１の呼出信号という。）が生成される。この第１の呼出信号は、呼出部１００から親機側子機Ｉ／Ｆ１０９、伝送線路Ｌ1a、親機２の親機Ｉ／Ｆ２１４を構成する子機接続用Ｉ／Ｆ２１４ａを経由して呼出検出部２０２を構成する呼出検出回路２０２ａに伝送される。
【００４４】
親機２の呼出検出部２０２を構成する呼出検出回路２０２ａは、子機１ａの呼出部１００から送信されてきた第１の呼出信号をもとに、子機１ａが設置された住戸玄関に居る来訪者からの呼び出しがあることを検出し、その旨の呼出検出信号（以下、第１の呼出検出信号という。）を生成して制御部２１３に送出する。
【００４５】
親機２の制御部２１３は、呼出検出部２０２を構成する呼出検出回路２０２ａから送信されてきた第１の呼出検出信号を受信すると、子機１ａが設置された住戸玄関に居る来訪者からの呼び出しがある旨の呼出音や音声メッセージ等を親機スピーカ２０８から放音させるとともに、同様な内容の文字メッセージや絵データ等をモニタ２０４に表示させて呼出報知を行うことができる。
【００４６】
また、親機２の制御部２１３は、親機電源部２００および子機用電源供給回路２０１をそれぞれ制御して、前述の待受レベルよりも高い電圧レベルである直流電源を生成させ、この直流電源を動作電源として、当該親機の構成各部および子機１ａの構成各部にそれぞれ供給することができる。
【００４７】
また、親機２の制御部２１３は、信号発生部２０３を制御して、子機１ａのカメラ１０１にて撮像される映像信号の垂直同期が、子機１ａを除く他の子機１ｂ、・・・１ｎのカメラ１０１にて撮像される映像信号の垂直同期とそれぞれ一致するための基準同期信号（以下、第１の基準同期信号という。）を生成させる。この第１の基準同期信号は、親機Ｉ／Ｆ２１４を構成する子機接続用Ｉ／Ｆ２１４ａにて、子機用電源供給回路２０１からの動作レベルの直流電源に重畳された後、伝送線路Ｌ1aを経由して子機１ａの親機側子機Ｉ／Ｆ１０９に伝送される。
【００４８】
さらに、親機２の制御部２１３は、映像復調部２０５、映像ライン切替部２０６および映像出画制御部２０７をそれぞれ制御して、親機Ｉ／Ｆ２１４を構成する子機接続用Ｉ／Ｆ２１４から映像復調部２０５、映像ライン切替部２０６、映像出画制御部２０７を順次経由してモニタ２０４への映像ライン（信号伝送ライン）を形成する。
【００４９】
子機１ａの親機側子機Ｉ／Ｆ１０９は、動作レベルの直流電源に重畳されて親機２から送信されてきた第１の基準同期信号と当該直流電源とを分離し、この直流電源は子機電源部１０８に、第１の基準同期信号は同期信号検出部１０３にそれぞれ送出する。
【００５０】
子機１ａの子機電源部１０８は、親機２の子機用電源供給部２０１から供給されてきた動作レベルの直流電源を受電し、動作電源として当該子機の構成各部にそれぞれ供給することができる。
【００５１】
子機１ａの同期信号検出回路１０３は、親機２の信号発生部２０３から送信されてきた第１の基準同期信号を受信／検出して同期結合制御部１０４に送出する。また、同期結合制御部１０４は、自子機のカメラ１０１にて撮像される映像信号の垂直同期を、子機１ａを除く他の子機１ｂ、・・・１ｎのカメラ１０１にて撮像される映像信号の垂直同期とそれぞれ一致するように同期結合を行い、その垂直同期を固定することができる。このカメラ１０１にて撮像された映像であり電気信号に信号処理した映像信号（以下、第１の映像信号という。）は、映像変調部１０２にて映像変調信号（以下、第１の映像変調信号という。）に変調（ＦＭ変調）された後、親機側子機Ｉ／Ｆ１０９、伝送線路Ｌ1a、親機２の親機Ｉ／Ｆ２１４を構成する子機接続用Ｉ／Ｆ２１４ａを経由して映像復調部２０５に伝送される。
【００５２】
親機２の映像復調部２０５は、子機１ａの映像変調部１０２から送信されてきた第１の映像変調信号を第１の映像信号に復調（ＦＭ復調）した後、映像ライン切替部２０６を経由して映像出画制御部２０７に送出する。
【００５３】
親機２の映像出画制御部２０７は、映像復調部２０５を経由して復調（ＦＭ復調）された第１の映像信号をもとに、子機１ａのカメラ１０１にて撮像された映像を所定の画面様式、例えば、全画面表示でモニタ２０４に出画させることができる。
【００５４】
次に、親機２の親機スピーカ２０９から放音された呼出音や音声メッセージ等、モニタ２０４の画面表示（全画面表示）をもとに、子機１ａが設置された住戸玄関に居る来訪者からの呼び出しがあることを、当該来訪者の識別と併せて確認できた住戸内に在室中の居住者が、操作部２１２にて所定の応答操作を行うと、この応答操作を検出した制御部２１３により親機通話部２１０および通話ライン切替部２１１がそれぞれ制御される。この制御により、居住者が使用する親機マイク２０８および親機スピーカ２０９と、親機通話部２１０、通話ライン切替部２１１、親機Ｉ／Ｆ２１４を構成する子機接続用Ｉ／Ｆ２１４ａ、伝送線路Ｌ1a、子機１ａの親機側子機Ｉ／Ｆ１０９、子機通話部１０７を経由して来訪者が使用する子機マイク１０５および子機スピーカ１０６との間の通話ラインが形成されることから、形成された通話ラインを経由して音声信号を送受信させることで通話が成立する。
【００５５】
次に、前述のような子機１ａが設置された住戸玄関に居る来訪者と住戸内に在室中の居住者との間で通話が成立しているとき、別途の来訪者、ここでは、子機１ｂが設置された住戸玄関に居る来訪者が、住戸内に在室中の居住者を呼び出すために呼出部１００にて所定の呼出操作を行うと、呼出信号（以下、第２の呼出信号という。）が生成される。この第２の呼出信号は、呼出部１００から親機側子機Ｉ／Ｆ１０９、伝送線路Ｌ1b、親機２の親機Ｉ／Ｆ２１４を構成する子機接続用Ｉ／Ｆ２１４ｂを経由して呼出検出部２０２を構成する呼出検出回路２０２ｂに伝送される。
【００５６】
親機２の呼出検出部２０２を構成する呼出検出回路２０２ｂは、子機１ｂの呼出部１００から送信されてきた第２の呼出信号をもとに、子機１ｂが設置された住戸玄関に居る来訪者からの呼び出しがあることを検出し、その旨の呼出検出信号（以下、第２の呼出検出信号という。）を生成して制御部２１３に送出する。
【００５７】
親機２の制御部２１３は、呼出検出部２０２を構成する呼出検出回路２０２ａから送信されてきた第２の呼出検出信号を受信すると、子機１ａが設置された住戸玄関に居る来訪者による通話音声（受話音声）が出力されている親機スピーカ２０９より、子機１ｂが設置された住戸玄関に居る来訪者からの呼び出しがある旨の呼出音や音声メッセージ等を放音させるとともに、子機１ａが設置された住戸玄関に居る来訪者の映像が出画、例えば、全画面表示で出画されているモニタ２０４に、子機１ｂが設置された住戸玄関に居る来訪者からの呼び出しがある旨の文字メッセージや絵データ等を表示させて呼出報知を行うことができる。
【００５８】
また、親機２の制御部２１３は、信号発生部２０３を制御して、子機１ｂのカメラ１０１にて撮像される映像信号の垂直同期が、子機１ｂを除く他の子機１ａ、・・・１ｎのカメラ１０１にて撮像される映像信号の垂直同期とそれぞれ一致とするための基準同期信号（以下、第２の基準同期信号という。）を生成させる。この第２の基準同期信号は、親機Ｉ／Ｆ２１４を構成する子機接続用Ｉ／Ｆ２１４ｂにて子機用電源供給回路２０１からの動作レベルの直流電源に重畳された後、伝送線路Ｌ1bを経由して子機１ｂの親機側子機Ｉ／Ｆ１０９に伝送される。なお、第２の基準同期信号は、前述の第１の基準同期信号と同一の当該信号であってもよい。
【００５９】
さらに、親機２の制御部２１３は、映像ライン切替部２０６および映像出画制御部２０７をそれぞれ制御して、親機Ｉ／Ｆ２１４を構成する各子機接続用Ｉ／Ｆ２１４ａ、２１４ｂから映像復調部２０５、映像ライン切替部２０６、映像出画制御部２０７を順次経由してモニタ２０４への映像ライン（信号伝送ライン）を形成する。ここで、映像出画制御部２０７への制御によるモニタ２０４の画面様式としては、操作部２１２の適宜な操作によってピクチャインピクチャ表示が予め選択されているものとする。
【００６０】
子機１ｂの親機側子機Ｉ／Ｆ１０９は、動作レベルの直流電源に重畳されて親機２から送信されてきた第２の基準同期信号と当該直流電源とを分離し、この直流電源は子機電源部１０８に、第２の基準同期信号は同期信号検出部１０３にそれぞれ送出する。
【００６１】
子機１ｂの子機電源部１０８は、親機２の子機用電源供給部２０１から供給されてきた動作レベルの直流電源を受電し、動作電源として当該子機の構成各部にそれぞれ供給することができる。
【００６２】
子機１ｂの同期信号検出回路１０３は、親機２の信号発生部２０３から送信されてきた第２の基準同期信号を受信／検出して同期結合制御部１０４に送出する。また、同期結合制御部１０４は、自子機のカメラ１０１にて撮像される映像信号の垂直同期を、子機１ｂを除く他の子機１ａ、・・・１ｎのカメラ１０１にて撮像される映像信号の垂直同期とそれぞれ一致するように同期結合を行い、その垂直同期を固定することができる。このカメラ１０１にて撮像された映像であり電気信号に信号処理した映像信号（以下、第２の映像信号という。）は、映像変調部１０２にて映像変調信号（以下、第２の映像変調信号という。）に変調（ＦＭ変調）された後、親機側子機Ｉ／Ｆ１０９、伝送線路Ｌ1b、親機２の親機Ｉ／Ｆ２１４を構成する子機接続用Ｉ／Ｆ２１４ｂを経由して映像復調部２０５に伝送される。
【００６３】
親機２の映像復調部２０５は、各子機１ａ、１ｂの映像変調部１０２から同じタイミングでそれぞれ送信されてきた第１、第２の各映像変調信号を第１、第２の各映像信号に復調（ＦＭ復調）した後、映像ライン切替部２０６を経由して映像出画制御部２０７に送出する。
【００６４】
親機２の映像出画制御部２０７は、映像復調部２０５を経由して復調された第１、第２の各映像信号をもとに、各子機１ａ、１ｂのカメラ１０１にて撮像された複数の映像を、垂直同期がそれぞれ一致された視認性の高い画質表示の映像として、ピクチャインピクチャ表示でモニタ２０４に出画させることができる。
【００６５】
なお、各子機１ａ、１ｂのカメラ１０１にて撮像された複数の映像を、垂直同期がそれぞれ一致された視認性の高い映像としてモニタ２０４に出画させる画面様式は、前述のピクチャインピクチャ表示に限定されるものではない。例えば、居住者が操作部２１２を使用して行う画面表示の選択操作を検出した制御部２１３により、映像出画制御部２０７を制御して多分割表示等を行うこともできる。
【００６６】
また、前述までの説明によれば、親機２のモニタ２０４に子機１ａのカメラ１０１にて撮像された映像が出画されている状態において、別途のカメラにて撮像された映像をモニタ２０４に出画させる手段として、子機１ｂが設置された住戸玄関に居る来訪者が住戸内に在室中の居住者を呼び出した場合について説明したが、この態様に限定されるものではない。
【００６７】
例えば、前述のような子機１ａが設置された住戸玄関に居る来訪者と居住者との間で通話が成立しているとき、子機１ｂが設置された住戸玄関の周囲環境の映像を監視するために、居住者が操作部２１２を操作すると、この操作を検出した制御部２１３の制御により信号発生部２０３にて第２の基準同期信号が生成される。この第２の基準同期信号を受信した子機１ｂの同期結合制御部１０４は、自子機のカメラ１０１にて撮像される映像信号の垂直同期を、子機１ｂを除く他の子機１ａ、・・・１ｎのカメラ１０１にて撮像される映像信号の垂直同期とそれぞれ一致するように同期結合を行い、その垂直同期を固定することから、各子機１ａ、１ｂのカメラ１０１にて撮像された複数の映像を同じタイミングで親機２のモニタ２０４に出画する際、例えば、ピクチャインピクチャ表示、多分割表示する際に視認性の高い良好な画質表示を行うことができる。
【００６８】
さらに、前述までの説明によれば、複数の子機１ａ、１ｂ、・・・１ｎのうち、各子機１ａ、１ｂのカメラ１０１にて撮像された複数の映像を、垂直同期がそれぞれ一致された視認性の高い画質表示の映像として例えば、ピクチャインピクチャ表示、多分割表示等で親機２のモニタ２０４に出画させるにあたり、各子機１ａ、１ｂのカメラ１０１を駆動させるタイミングとして、子機１ａのカメラ１０１を駆動させた後のタイミングで子機１ｂのカメラ１０１を駆動させた場合について説明したが、このタイミングに限定されるものではない。
【００６９】
例えば、前述のような待受時（待受状態時）において、居住者が、各子機１ａ、１ｂがそれぞれ設置された住戸玄関の周囲環境の映像を同じタイミングで監視するために操作部２１２を操作し、この操作を検出した制御部２１３の制御により、信号発生源２０３にて生成させた第１、第２の各基準同期信号を各子機１ａ、１ｂの同期結合制御部１０４にそれぞれ送出する。この第１、第２の各基準同期信号を受信した各子機１ａ、１ｂの同期結合制御部１０４は、自子機のカメラ１０１にて撮像される映像信号の垂直同期を、他の当該子機のカメラ１０１にて撮像される映像信号の垂直同期とそれぞれ一致するように同期結合を行い、その垂直同期を固定することから、各子機１ａ、１ｂのカメラ１０１にて撮像された複数の映像、すなわち、複数の監視映像を同じタイミングで親機２のモニタ２０４に出画する際、例えば、ピクチャインピクチャ表示、多分割表示する際に視認性の高い良好な画質表示を行うことができる。
【００７０】
なお、前述までの実施例によれば、複数の子機１ａ、１ｂ、・・・１ｎのカメラ１０１にて撮像された複数の映像を、垂直同期がそれぞれ一致された視認性の高い映像として親機２のモニタ２０４に出画させるに必要とされる信号として、制御部２１３により駆動制御される信号発生部２０３にて生成される基準同期信号を適用したが、この信号に限定されるものではない。
【００７１】
例えば、別途の態様である他の実施例として、図１に示す複数の子機１ａ、１ｂ、・・・１ｎのカメラ１０１にて撮像される映像信号の垂直同期をそれぞれ一致させるための外部同期制御信号が外部信号源３ａ、３ｂ、・・・３ｎにてそれぞれ生成されると、この外部同期制御信号は、外部信号源３ａ、３ｂ、・・・３ｎから各子機１ａ、１ｂ、・・・１ｎの外部側子機Ｉ／Ｆ１１０を経由して同期結合制御部１０４にそれぞれ伝送される。なお、外部信号源３ａ、３ｂ、・・・３ｎにてそれぞれ生成される外部同期制御信号は、全て同期が一致しているものである。
【００７２】
各子機１ａ、１ｂ、・・・１ｎの同期結合制御部１０４は、自子機のカメラ１０１にて撮像される映像信号の垂直同期を、他の当該子機のカメラ１０１にて撮像される映像信号の垂直同期とそれぞれ一致とするように同期結合を行い、その垂直同期を固定することができる。
【００７３】
前述のような外部信号源３ａ、３ｂ、・・・３ｎからの外部同期制御による垂直同期の同期結合が行われると、前述の第１の実施例と同様、例えば、各子機１ａ、１ｂのカメラ１０１にて撮像された複数の映像（監視映像）を同じタイミングで親機２のモニタ２０４に出画する際、例えば、ピクチャインピクチャ表示、多分割表示する際に視認性の高い良好な画質表示を行うことができる。
【００７４】
なお、前述の他の実施例を適用するにあたり、親機２の信号発生部２０３は不要にすることもできる。この構成によれば、当該親機の回路構成の簡素化が可能となる。
【００７５】
また、本発明の実施例および他の実施例によれば、複数の子機１ａ、１ｂ、・・・１ｎが有する同期結合機能として、同期結合制御部１０４をカメラ１０１と別途に設けたが、この態様に限定されるものではない。例えば、同期結合機能をカメラ１０１に内蔵することもできる。この構成によれば、当該子機の回路構成の簡素化が可能となる。
【００７６】
また、本発明の実施例および他の実施例によれば、複数の子機１ａ、１ｂ、・・・１ｎのカメラ１０１にて撮像された映像を同じタイミングで親機２のモニタ２０４に出画する際、例えば、ピクチャインピクチャ表示、多分割表示する際に視認性の高い良好な画質表示を行うにあたり、同期結合機能を構成する同期結合制御部１０４を当該子機に備えた態様について説明したが、この態様に限定されるものでない。すなわち、親機２に信号発生部２０３が備えられているならば、各子機１ａ、１ｂ、・・・１ｎの同期結合制御部１０４および外部側子機Ｉ／Ｆ１１０を不要にして、同期信号検出部１０３からカメラ１０１への基準同期信号の信号伝送ラインを形成し、さらには外部信号源３ａ、３ｂ、・・・３ｎを不要にすることもできる。この構成によれば当該子機の回路構成の簡素化、システム全体の構成の簡素化がそれぞれ可能となる。
【００７７】
さらに、本発明のテレビインターホン装置においては、特定の実施の形態をもって説明してきたが、この形態に限定されるものでなく、本発明の効果を奏する限り、これまでに知られた如何なる構成のテレビインターホン装置であっても採用できるということはいうまでもないことである。
【図面の簡単な説明】
【００７８】
【図１】本発明の実施例（および他の実施例）によるテレビインターホン装置の具体的な構成を示すブロック図。
【符号の説明】
【００７９】
１ａ、１ｂ、・・・１ｎ……複数の子機
１０１……カメラ
１０４……同期結合制御部（同期結合機能）
２……親機
２０３……信号発生部
２０４……モニタ
３ａ、３ｂ、・・・３ｎ……外部信号源
【図１】
2007228410.tif 000003